(57)【要約】【課題】断裁機の操作手段をユーザが軽い操作感で操作できるようにする。【解決手段】断裁機は、リンク機構７０を持つ。リンク機構７０は、いずれも棒状の第１リンク部材７１Ａ、第２リンク部材７１Ｂ、第３リンク部材７１Ｃと、フレーム２０のうちの第２リンク部材７１Ｂ、及び第３リンク部材７１Ｃと接続された部分の間の部分により構成された、平行四辺形を保ちながら変形可能なリンクを備える。第２リンク部材７１Ｂと第３リンク部材７１Ｃの下端近くには、フレーム２０に向かって食み出たコロ７１Ｂ１、７１Ｃ１が取付けられている。フレーム２０が下がるとき、第２リンク部材７１Ｂと、第３リンク部材７１Ｃには、２つのテコが形成される。【選択図】図６
2015202561.tif 000002
【特許請求の範囲】
【請求項１】
切断の対象となる対象物の表面に対して、その刃先が略平行状態を保つようにしながら押接して前記対象物を切断する刃と、前記対象物から離れた前記刃を前記対象物に向けて移動させるためにユーザが動かす操作手段と、前記操作手段に加えられた力を前記刃に伝えるリンク手段とを持つ断裁機であって、
前記リンク手段は、
前記刃の上側に取付けられる前記刃を固定するためのフレームと、
前記フレームにその下端が回動可能にそれぞれ接続された、それぞれが棒状とされた第２リンク部材、及び第３リンク部材と、
前記第２リンク部材、及び前記第３リンク部材のそれぞれの上端に、回動可能にその両端をそれぞれ接続された、棒状とされた第１リンク部材と、
を備えているとともに、
前記第１リンク部材と、前記第２リンク部材と、前記第３リンク部材と、前記フレームのうちの前記第２リンク部材と接続された部分と前記第３リンク部材と接続された部分の間とは、前記第１リンク部材と前記第２リンク部材とがなす角を鋭角に保ちつつ、全体として平行四辺形形状を維持しながら変形できるようにされたリンクを形成するようになっており、
前記第２リンク部材の下方には、前記第２リンク部材が倒れたときに前記フレームの上側に当接する第２当接体が設けられているとともに、前記第３リンク部材の下方には、前記第３リンク部材が倒れたときに前記フレームの上側に当接する第３当接体が設けられており、
且つ前記第１リンク部材と、前記第２リンク部材とが接続されている部分を、前記操作手段で下方に押すことで、前記リンクを下方に潰すように変形させられるようになっている、
断裁機。
【請求項２】
前記第２当接体は、前記第２リンク部材に対して第２軸を介して前記第２軸周りに回転可能に取付けられた、その側面を前記フレームの上側に当接可能とされた円形のコロであり、
前記第３当接体は、前記第３リンク部材に対して第３軸を介して前記第３軸周りに回転可能に取付けられた、その側面を前記フレームの上側に当接可能とされた円形のコロである、
請求項１記載の断裁機。
【請求項３】
前記操作手段からの力で下方に下がった前記刃に対して、前記刃を上方向に移動させる力を与える弾性体を備えている、
請求項１記載の断裁機。
【請求項４】
前記弾性体は、前記フレームを上向きに引き上げるような力を前記フレームに与えるようになっている、
請求項３記載の断裁機。
【請求項５】
前記フレームが上下に移動するときの左右方向の移動方向を規制する規制手段を備えている、
請求項１記載の断裁機。
【発明の詳細な説明】
【技術分野】
【０００１】
本発明は、断裁機、より詳しくは手動の断裁機に関する。以下、特に断りのない場合には、本願で言及する断裁機は手動の断裁機を意味するものとする。
【背景技術】
【０００２】
多数積層した紙や樹脂フィルムなどの対象物を切断する必要がある場合、正確かつ短時間に切断を行うために断裁機が用いられている。
もっとも古くから普及している断裁機としては、テーブルの縁に長い刃の一端がヒンジ接続されたものであり、刃の他端に設けられた持ち手を持ってその刃をテーブルに対して回動させることで、テーブルの上に載置された対象物を切断するタイプの断裁機である。このタイプの断裁機に一般的な呼び名はないが、この明細書ではこのタイプの断裁機を回転ギロチンカッターと称することにする。
その後、テーブルの上に載せた対象物を、テーブルに対して略平行を保ちつつ降下する刃によって切断するタイプの断裁機や、テーブルの上に、直線状のガイド部材と、ガイド部材によって案内されながら、回転しつつ直線状に移動できるテーブルに対して垂直な刃とを備えており、刃をガイド部材に沿って回転させながら往復させることでテーブルの上に載置した対象物を切断するタイプの断裁機も提案され、実用されている。これらのタイプの断裁機にも一般的な呼び名はないが、この明細書ではこれらのタイプの断裁機の前者を平行ギロチンカッターと称することにし、これらのタイプの断裁機の後者をスライドカッターと称することとする。
【０００３】
回転ギロチンカッターは、厚く重い刃を備えている。その厚さは５ｍｍを超えることもあり、刃自体の重さと刃に加えた大きな力により対象物を一度に押し切るようにして対象物の切断を行う。
平行ギロチンカッターも同様である。平行ギロチンカッターは、回転ギロチンカッターからの流れで開発された断裁機であるため、回転ギロチンカッターに準じた厚く重い刃を用いて、刃自体の重さと刃に加えた大きな力により対象物を一度に押し切るようにして対象物の切断を行う。
他方、スライドカッターは、回転する刃を対象物の上で往復させることにより、移動する刃によってあたかもカッターナイフで紙を切断するようにして対象物を切断する。そのような切断の原理で切断を行うため、スライドカッターが備える刃は、例えば１ｍｍ程度或いは、それ以下と薄い。
【０００４】
回転ギロチンカッタータイプの断裁機も、平行ギロチンカッタータイプの断裁機も、切断を行うときに、ユーザに刃を動かすための大きな力を要求する。もっとも平行ギロチンカッタータイプの断裁機は、テコの原理などのユーザが加えた力を増幅するための構成を、刃を動かすための機構の一部に追加し易いので、そうすることにより、刃を動かす際にユーザに要求する力をある程度小さくすることも可能である。
他方、スライドカッタータイプの断裁機は、ユーザに要求する力は小さいものの、刃が一回の移動により切断できる紙等の枚数が小さいため（一般的な製品では、数枚である。）、対象物に含まれる紙等の枚数が多い場合には、刃を何度も往復させないと対象物のすべての切断ができない。
【発明の概要】
【発明が解決しようとする課題】
【０００５】
以上の点に鑑みて、本願発明者は、平行ギロチンカッタータイプの断裁機をより発展させることで、ユーザに刃を動かすために過度に大きな力を要求することなく、それに含まれる紙等の枚数がある程度大きな対象物を一度に切断できる断裁機を得られるのではないか、と考えた。
特に、上述したテコの原理の応用には改良の価値がある。
【０００６】
本願発明は、ユーザに刃を動かすために過度に大きな力を要求することなく、それに含まれる紙等の枚数がある程度大きな対象物を一度に切断できる断裁機を提供することをその課題とする。
【課題を解決するための手段】
【０００７】
本願発明は、切断の対象となる対象物の表面に対して、その刃先が略平行状態を保つようにしながら押接して前記対象物を切断する刃と、前記対象物から離れた前記刃を前記対象物に向けて移動させるためにユーザが動かす操作手段と、前記操作手段に加えられた力を前記刃に伝えるリンク手段とを持つ断裁機である。
そして、この断裁機における前記リンク手段は、前記刃の上側に取付けられる前記刃を固定するためのフレームと、前記フレームにその下端が回動可能にそれぞれ接続された、それぞれが棒状とされた第２リンク部材、及び第３リンク部材と、前記第２リンク部材、及び前記第３リンク部材のそれぞれの上端に、回動可能にその両端をそれぞれ接続された、棒状とされた第１リンク部材と、を備えている。
また、前記第１リンク部材と、前記第２リンク部材と、前記第３リンク部材と、前記フレームのうちの前記第２リンク部材と接続された部分と前記第３リンク部材と接続された部分の間とは、前記第１リンク部材と前記第２リンク部材とがなす角を鋭角に保ちつつ、全体として平行四辺形形状を維持しながら変形できるようにされたリンクを形成するようになっており、前記第２リンク部材の下方には、前記第２リンク部材が倒れたときに前記フレームの上側に当接する第２当接体が設けられているとともに、前記第３リンク部材の下方には、前記第３リンク部材が倒れたときに前記フレームの上側に当接する第３当接体が設けられており、且つ前記第１リンク部材と、前記第２リンク部材とが接続されている部分を、前記操作手段で下方に押すことで、前記リンクを下方に潰すように変形させられるようになっている。
かかる断裁機では、操作手段（例えば、それは、棒状に構成されたレバーである。）の操作によって、刃を対象物に向けて下方に移動させるようにしている。かかる操作をユーザに行わせるために要求される力は大きいが、以下の理由で、本願発明はそのときにユーザが要求される力を小さくしている。
本願発明は、リンク手段を備えている。そのリンク手段は、刃の上側に取付けられる前記刃を固定するためのフレームと、フレームにその下端が回動可能にそれぞれ接続された、それぞれが棒状とされた第２リンク部材、及び第３リンク部材と、第２リンク部材、及び第３リンク部材のそれぞれの上端に、回動可能にその両端をそれぞれ接続された、棒状とされた第１リンク部材と、を備えている。
そして、第１リンク部材と、第２リンク部材と、第３リンク部材と、フレームのうちの第２リンク部材及び第３リンク部材と接続された部分の間とは、変形可能な四角形形状のリンクを形成するようになっている。かかるリンクはいわゆる平行四辺形リンクと呼ばれるものである。本願発明ではこのリンクは、第１リンク部材と第２リンク部材とがなす角を鋭角に保ちつつ、平行四辺形形状を維持しながら変形できるようになっている。操作手段は、第１リンク部材と、第２リンク部材とが接続されている部分を下方に押すことで、第２リンク部材と第３リンク部材が倒れ込んでいき、これにより上記リンクが平行四辺形形状を保ちながら下方に潰れていくことにより、かかるリンクの下端を構成するフレームに取付けられた刃が下方に移動する。
ところで、本願発明の断裁機におけるリンクを構成する第２リンク部材と第３リンク部材の下方にはそれぞれ、第２リンク部材が倒れたときにフレームの上側に当接する第２当接体と、第３リンク部材が倒れたときに前記フレームの上側に当接する第３当接体が設けられている。そして、  第２リンク部材においては、テコの原理を考えたときに、第１リンク部材と、第２リンク部材との接続部が力点、第２リンク部材とフレームとの接続部が支点、第２当接体とフレームとの当接部分が作用点となる。したがって、ユーザが第１リンク部材と第２リンク部材との接続部を操作手段を用いて下方に押し下げた力は、上述のテコにより増幅されてフレームを下向きに押すことになる。他方、第３リンク部材においては、テコの原理を考えたときに、第１リンク部材と、第３リンク部材との接続部が力点、第３リンク部材とフレームとの接続部が支点、第３当接体とフレームとの当接部分が作用点となる。したがって、この場合にもユーザが第１リンク部材と第２リンク部材との接続部を操作手段を用いて下方に押し下げた力は、第１リンク部材を介して、第１リンク部材と第３リンク部材の接続部分に伝わった上で、上述のテコにより増幅されてフレームを下向きに押すことになる。
一つのテコが存在するだけでも、ユーザがフレームを下向きに押す力は小さくても済むところ、本願発明では、上述のように、リンクを応用して２つのテコを同時にはたらかせることで、ユーザに刃を動かすために過度に大きな力を要求することなく、それに含まれる紙等の枚数がある程度大きな対象物を一度に切断できるようにしている。
【０００８】
第２当接体と第３当接体は、上述のテコを成立させるものであれば、その具体的な構成は問わない。
例えば、前記第２当接体は、前記第２リンク部材に対して第２軸を介して前記第２軸周りに回転可能に取付けられた、その側面を前記フレームの上側に当接可能とされた円形のコロであり、前記第３当接体は、前記第３リンク部材に対して第３軸を介して前記第３軸周りに回転可能に取付けられた、その側面を前記フレームの上側に当接可能とされた円形のコロであっても良い。
第２当接体と第３当接体は、上述のようにフレームの上側に当接してフレームを下向きに押すが、そのときフレーム上を横にずれる。そのときに生じる摩擦抵抗も、ユーザが操作手段を操作するときにユーザに必要とされる力を増すおそれがあるが、第２当接体と第３当接体をコロにすることにより、そのおそれを解消することができる。
【０００９】
本願の断裁機は、前記操作手段からの力で下方に下がった前記刃に対して、前記刃を上方向に移動させる力を与える弾性体を備えていても良い。
断裁機で対象物を切断した後には、次の対象物を切断する前に、刃乃至フレームを引き上げる必要がある。上述の如き弾性体があれば、その作業をユーザに強いる必要がなくなる。
前記弾性体は、前記フレームを上向きに引き上げるような力を前記フレームに与えるようになっていても良い。フレームを上向きに引き上げることにより、潰れたリンクも元の形状に復元する。
本願の断裁機は、前記フレームが上下に移動するときの左右方向の移動方向を規制する規制手段を備えていても良い。このような規制手段が存在すれば、フレームが上下に移動するときに辿る軌跡を、所望のものとすることができる。これにより、対象物を予定された位置で切れるようになり、また、切断角度が振れないようにすることで、切断の際を行う場合においてユーザに要求される刃を動かすための力が過度に大きくなることを防げることになる。
【図面の簡単な説明】
【００１０】
【図１】本発明の実施形態の断裁機の構造を示す斜視図である。
【図２】図１に示した断裁機のテーブルを折り畳んだ状態を示す斜視図である。
【図３】図１に示した断裁機の刃体の構成を説明するための、断面図である。
【図４】図１に示した断裁機のテーブルとガイド部材を示す上面図である。
【図５】図１に示した断裁機のアームをロックした状態を示す斜視図である。
【図６】図１に示した断裁機のリンク機構を示す図である。
【図７】断裁機における刃の動きを概念的に示す図である。
【図８】（ａ）図１に示した断裁機における刃の背面図、（ｂ）同側面図、（ｃ）刃の他の例の側面図、（ｄ）刃の更に他の例の側面図である。
【発明を実施するための形態】
【００１１】
以下、本発明の好ましい実施形態について、図面を参照して詳細に説明する。
図１はこの実施形態による断裁機１００の斜視図である。
断裁機１００は、紙や樹脂製フィルムなどの切断の対象となる対象物を配置するテーブル２と、このテーブル２の一端側に設けられた本体ケース３を備えている。
この本体ケース３内には、追って説明するリンク機構と、後述する刃を含む刃体４と、刃が降りたときに実際に対象物の切断が行われる線であるカッティングラインを示す光線を対象物上に投影するための発光装置６とが内蔵されている。発光装置６は、これには限られないが、ＬＥＤと、ＬＥＤから出た光を線状にするスリット、スリットから出た光を対象物上に結像させるレンズ等を含んで構成されている。ユーザは、発光装置６が作る光線を見ながら、簡単且つ正確に対象物の切断を行うことができる。
本体ケース３には、また、刃体４を上下に移動させるための操作をユーザが行うために用いられるアーム５と、発光装置６のオン、オフを行うためのスイッチ７と、アーム５を本体ケース３に収納した状態でアーム５をロックするロック部材８と、テーブル２の他端側からスライド移動させることが可能なガイド部材９とが取付けられている。
アーム５の基端は、本体ケース３内に挿入されている。
【００１２】
図２に示すように、テーブル２は、本体ケース３の外面をテーブル２の形状に対応した形状に窪ませて形成されているテーブル収納部１２に収納可能となっている。
その収納を確実に行う目的で、テーブル２の両側面には凸部１１が設けられており、また本体ケース３のテーブル収納部１２の両側面には、凸部１１に対応する位置に、凹部１３が設けられている。テーブル収納部１２にテーブル２が収納された際、凸部１１が凹部１３に嵌り込むことにより、テーブル２は本体ケース３に一時的に固定される。
【００１３】
図２に示したテーブル２を本体ケース３に収納した状態は通常、断裁機１００の使用前後の状態である。
断裁機１００の使用が終わったら、スイッチ７を操作して、発光装置６をオフにして、カッティングラインを示す光線を消した後、テーブル２を折り畳んで、本体ケース３内に収納する。
従来の断裁機１００は、使用が済んだ後であっても、大きく収納場所を占有してしまうが、本実施形態の断裁機１００は、大きな設置面積を占めるテーブル２を横置きから縦置きとなるように折畳むことで、極めてコンパクトに収納できるようになっている。
また、テーブル２は、本体ケース３に収納されたときに、本体ケース３に設けられている導入開口１０を覆い隠すようになっている。導入開口１０は、切断の対象となる対象物を、本体ケース３内（要するに、後述する刃の下側）に差込むための開口である。断裁機１００の不使用時にその導入開口１０をテーブル２で覆い隠すことにより、この断裁機１００は導入開口１０から子供が指を入れることなどによる不慮の事故の可能性を低く抑えることができるので、安全性が極めて高い。
また、図示を省略するが、本体ケース３内には、テーブル２の姿勢によってオン・オフするスイッチが内蔵されている。そしてこのスイッチは、テーブル２が本体ケース３に収納されたときに、発光装置６をオフするようになっている。上述のように、発光装置６は基本的に、スイッチ７によりオン・オフされる。しかしながら、テーブル２の姿勢に連動するスイッチが存在することにより、この断裁機１００では、その使用をやめるときにスイッチ７をオフにし忘れたとしても、テーブル２を本体ケース３に収納しさえすれば、発光装置６は自動的にオフ状態とされるから、断裁機１００の使用を終えるときにスイッチ７を操作し忘れても、発光装置６が動作し続けることを防止できる。
【００１４】
続いて、図３に、刃体４付近の断面を示す。
上述したように、本体ケース３には、対象物を本体ケース３に差込むための導入開口１０が設けられている。導入開口１０の上面には、導入開口１０に向かって傾斜する傾斜部１７が設けられている。傾斜部１７は、対象物を導入開口１０を介して本体ケース３に差込む際の差し込み安さを増す機能を有する。例えば、対象物の先端が広がっているような場合には、傾斜部１７がその広がった対象物の先端を導入開口１０に向けて案内するから、傾斜部１７の存在により対象物を導入開口１０に挿入しやすくなる。また、傾斜部１７は、指などの切断の対象となる対象物以外のものが導入開口１０から本体ケース３内に入り込むのを防止する機能をも有している。傾斜部１７も、断裁機１００の安全性を高めるものとなっている。
【００１５】
本体ケース３の導入開口１０の反対側の面には、導出開口１５が設けられている。導出開口１５は、導入開口１０から本体ケース３に差込まれた対象物を、本体ケース３から導出するための開口である。この実施形態の断裁機１００では、本体ケース３に導入開口１０から差込まれ、その先端を導出開口１５から導出された状態（つまり、その先端側が導出開口１５から食み出て、且つその基端側が導入開口１０から食み出た状態）の対象物を、ケース３内で切断するようになっている。
導出開口１５の外壁には、例えば透明な保護カバー１６が設けられている。この保護カバー１６は、本体ケース３にヒンジ接続されており、対象物を導出する際には、矢印で示すように、対象物の先端によって押し上げられるようにして回動して導出開口１５を開放するようになっている。他方、導出開口１５に対象物が位置していない状態では、保護カバー１６は、矢印で示すように、自重によって下方に向けて回動して導出開口１５を隠すようになっている。この状態で保護カバー１６は、本体ケース３側に更に回動することができないので、導出開口１５から対象物を差し込もうとしても、それを許さない構造となっている。これによりユーザは、導入開口１０と導出開口１５を直感的に区別することができる。また、導出開口１５からは対象物以外のものも本体ケース３内に差込むことができないため、導出開口１５から誤って指等を入れることが防止される。これもこの断裁機１００の安全性を高める工夫である。
【００１６】
刃体４は、刃１８とこの刃１８に接着される補強板１９と、この刃１８と補強板１９とからなる構造体がネジ１８Ａによって固定されるフレーム２０とで構成されている。なお、フレーム２０は断裁機１００側の部品であり、補強板１９と、この刃１８と補強板１９とからなる構造体は断裁機１００に対して着脱自在な部品である。
補強板１９は刃１８の上端に固定され、刃１８と一体とされている、刃１８と同じ長さの矩形の板体である。補強板１９は刃１８を補強する機能と、刃１８をフレーム２０にしっかり固定できるようにする機能を兼ね備えている。
フレーム２０は下方に開放された断面略コの字形状をした、刃１８よりもやや長い部材である。フレーム２０の断面略コの字の溝部分に、刃１８と補強板１９とからなる構造体が、それらの上面を、断面略コの字の溝部分の上側の面に突き当てた状態で固定される。フレーム２０には図示を省略のその内面にネジ切りがされたネジ孔が設けられており、上述したネジ１８Ａはそのネジ孔に螺合されている。ネジ１８Ａを締めれば、前進したネジ１８Ａの先端が上述の刃１８と補強板１９とからなる構造体の補強板１９の側面に突き当り、その構造体を、フレーム２０の断面略コの字型の開口のネジ１８Ａが存在する側と逆側の内面との間で挟持する。それにより、構造体は、フレーム２０に固定される。他方、ネジ１８Ａを緩めればネジ１８Ａは後退し、フレーム２０と構造体の固定は解除される。
フレーム２０と構造体とをこのように着脱自在としたのは、消耗品である刃１８（乃至構造体）の交換のためである。
【００１７】
図４に、テーブル２とガイド部材９の上面図を示す。
ガイド部材９は、テーブル２の上に図４における上下方向をその長さ方向として設けられた断面矩形の溝２Ａとその断面形状を同じくされており、溝２Ａの中を溝２Ａに案内されながら図４における上下方向に移動可能とされた一対のスライダー部２２と、スライダー部２２の図４における下方に接続された、スライダー部２２から立ち上がったストッパー部２１とを備えている。ストッパー部２１は、スライダー部２２を溝２Ａの長さ方向に対して適宜に位置決めした状態で、対象物を当接させるものである。それにより対象物は、ユーザが望む位置に位置決め可能となる。なお、スライダー部２２の上面はテーブル２の上面と面一になっているので、対象物の位置決めを行うにあたってスライダー部２２が邪魔になることはない。
テーブル２及びガイド部材９の適宜の位置には、切断の対象となる対象物の大きさに対応した位置にインデックスマーク１４が設けられている。インデックスマーク１４は、対象物として良くあるもの（例えば、Ａ４版とか、Ｂ５版）に合わせて設けられており、そこに対象物を合わせて切断を行うことにより、例えば対象物をちょうど半分に切るなど、ユーザが対象物を任意の大きさに簡単且つ正確に切ることが可能となっている。ユーザは、テーブル２とガイド部材９のインデックスマーク１４同士を自分が対象物をどの大きさに切断したいのかに合わせて適切に一致させるようにガイド部材９をテーブル２に対して適宜位置決めし、ストッパー部２１に対象物を当接させるだけで、テーブル２に対する、或いは切断位置に対する対象物の位置決めを簡単且つ正確に行うことができる。
テーブル２の溝２Ａ内には、マグネット２３が、上述のインデックスマーク１４に対応する位置に位置するようにして、適宜設けられている。他方、ガイド部材９を構成するスライダー部２２内には図示を省略の、マグネット２３と磁力により互いに吸着しあう鉄製のプレートが内蔵されている。マグネット２３と、プレートの吸着が、テーブル２とガイド部材９のインデックスマーク１４が合う部分でだけ生じるように、マグネット２３は配置されている。それにより、ユーザは、テーブル２とガイド部材９の位置を荒く調整するだけで、マグネット２３とプレートの吸着により自動的に、ガイド部材９とテーブル２のインデックスマーク１４を正確且つ簡単に位置合わせできることになる。
また、ガイド部材９のスライダー部２２の外側の側面には、突起２４が設けられている。突起２４は、ガイド部材９内に設けられた図示を省略のバネによって突出方向に付勢されているが外力を加えると、ガイド部材９内に引っ込むようになっている。他方、テーブル２の溝２Ａの外側の側面には、インデックスマーク１４に対応する位置に、突起２４が入り込めるようになっている凹部が設けられている。ユーザがガイド部材９の例えばストッパー部２１を握ってガイド部材９のスライダー部２２を溝２Ａの長さ方向に移動させると、凹部に突起２４が入り込む位置でのみ、ガイド部材９を介してユーザの手に凹部に突起２４が入り込むことによるクリック感が伝わる。かかるクリック感は、ガイド部材９とテーブル２のインデックスマーク１４が合うときのみ生じる。ユーザは、そのクリック感をもガイド部材９とテーブル２のインデックスマーク１４に基づく位置合わせが正確に行えているか否かの手掛かりにすることができる。
【００１８】
図５に、アーム５を本体ケース３内に収納し、ロック部材８でロックした状態の斜視図を示す。
このロック部材８は、例えば樹脂製の取っ手部３０とＬ字状の金属製のアーム保持部３１で構成され、本体ケース３の上面のアーム収納開口３２の開放端の側面部に、矢印で示すように、回転可能に設けられている。
ロック部材８を取っ手部３０の上を横切るように回転させると、取っ手部３０は上方に上がらなくなる。これにより、本体ケース３に収納されたアーム５は、本体ケース３から外に飛び出ない状態となる。
【００１９】
図６に、本願の断裁機の本体ケース３に内蔵されたリンク機構７０の一例の概略的な図を示す。リンク機構７０は、アーム５からフレーム２０に力を伝達するものであり、ユーザが動かしたアーム５の回動を、刃１８の刃先が対象物乃至テーブル２の上面との平行を略保ったまま刃１８が行う上下方向の運動に変換するものである。もっとも、リンク機構の構造は、図６に示したものに限られない。
リンク機構７０は、いずれも棒状の第１リンク部材７１Ａ、第２リンク部材７１Ｂ、第３リンク部材７１Ｃを備えている。第２リンク部材７１Ｂと、第３リンク部材７１Ｃはその長さが互いに等しい。また、第２リンク部材７１Ｂと第３リンク部材７１Ｃの下端近くには、フレーム２０に向かって食み出た、第２リンク部材７１Ｂと、第３リンク部材７１Ｃにそれぞれ固定されている軸を中心として回転可能なコロ７１Ｂ１、７１Ｃ１がそれぞれ取付けられている。
第１リンク部材７１Ａの一端と、第２リンク部材７１Ｂの上端とは、第１軸７２Ａによって、第１リンク部材７１Ａの他端と、第３リンク部材７１Ｃの上端とは、第２軸７２Ｂによって、互いに回転可能にそれぞれ接続されており、また、第２リンク部材７１Ｂと第３リンク部材７１Ｃの下端は、第３軸７２Ｃと第４軸７２Ｄによって、フレーム２０にそれぞれ、回転可能として接続されている。
その結果、第１リンク部材７１Ａ、第２リンク部材７１Ｂ、第３リンク部材７１Ｃ、フレーム２０の一部（フレーム２０の第３軸７２Ｃと第４軸７２Ｄの間の部分）は、第１軸７２Ａ、第３軸７２Ｃ、第２軸７２Ｂ、第４軸７２Ｄを頂点とする平行四辺形形状のリンクを構成することとなる。このリンクは、第１軸７２Ａを右上から左下下方の間で移動させるようにして変形可能なものとされる。つまり、平行四辺形形状のリンクは、図示した状態から左下方向に潰れることができ、また、右上方向に立上がることができる。なお、このリンクには、第１軸７２Ａを、第１軸７２Ａがある程度右上側に位置する初期位置に戻すような付勢力が、図示を省略のバネにより働くようになっている。
フレーム２０には、また、これには限られないが円筒形の円筒部材７３が設けられている。円筒部材７３は、ガイド部材７４とフレーム２０を係止するものである。ガイド部材７４は本体ケース３に固定されており、また、斜めに走る案内孔７４Ａを備えている。円筒部材７３は案内孔７４Ａに挿入されており、案内孔７４Ａの長さ方向に従って移動できるようになっている。これにより、フレーム２０の移動方向は、案内孔７４Ａの長さ方向になるように、規制されるようになっている。
リンク機構７０は、また、その一端が、本体ケース３に所定の手段によって固定された固定部材７５を備えている。固定部材７５には、その下端を円筒部材７３に固定された引上げバネ７６の上端が固定されている。引上げバネ７６は圧縮された状態となっており、これにより円筒部材７３には、ひいてはフレーム２０には、常に上向きの付勢力がはたらくようになっている。
ユーザが、アーム５を下向きに回動させると、アーム５が第１軸７２Ａを下向きに押すことにより、上述の平行四辺形形状のリンクは、その第１軸７２Ａを左下に移動させるようにしながら、平行四辺形を保ちつつ変形していく。このとき、図示せぬバネによりリンクには、第１軸７２Ａを右上方向に移動させようとする力がはたらき、また、フレーム２０には引上げバネ７６によりそれを上向きに引上げようとする力がはたらいているが、普通にアーム５を操作すればアーム５が第１軸７２Ａを押す力がそれらの力に勝る。そうすると、案内孔７４Ａの長さ方向の下向きに向かって案内孔７４Ａに案内されながら移動する円筒部材７３の動きにしたがって、円筒部材７３が固定されたフレーム２０が左下方に移動していき、刃１８が本体ケース３のテーブルから連なる面に載せられた対象物を切断する。
なお、フレーム２０が下方に移動していく過程では、フレーム２０の上部に対して、第２リンク部材７１Ｂと第３リンク部材７１Ｃのコロ７１Ｂ１、７１Ｃ１が当接する。第２リンク部材７１Ｂにおいては、第１軸７２Ａが力点、第３軸７２Ｃが支点、コロ７１Ｂ１とフレーム２０の接点が作用点となり、第３リンク部材７１Ｃにおいては、第２軸７２Ｂが力点、第４軸７２Ｄが支点、コロ７１Ｃ１とフレーム２０の接点が作用点となり、第２リンク部材７１Ｂにおいても、第３リンク部材７１Ｃにおいても、テコの原理により、アーム５が下方に移動する力は、フレーム２０に対して増幅して伝えられる。これにより、ユーザがアーム５を動かすときに必要な力を小さく抑えることができるようになっている。
対象物の切断が終わり、ユーザがアーム５を上方に戻すと、フレーム２０は、引上げバネ７６からの付勢力により上方に戻り、また、平行四辺形のリンクは第１軸７２Ａを初期位置に復帰させようとする図示せぬバネからの付勢力によって元の位置に戻る。これにより、次の対象物の切断の準備が整う。
なお、この実施形態における刃１８は、その刃先が対象物Ｘの上面と略平行を保ちつつ、図７（ａ）に示したように斜め下に向かって移動するようなものとなっているが、その刃先が対象物Ｘの上面と略平行を保ちつつ、図７（ｂ）に示したように真下に向かって移動するようなものとなっていても構わない。そのような変更は、リンク機構の適宜の修正により容易に実現可能である。また、ここでいう刃先（刃先については、追って詳述する。）と対象物Ｘの上面との略平行には、刃先と対象物Ｘの上面のなす角が完全な平行でない場合、例えば５°以内の角度をなす場合、しかも刃１８の移動にしたがってその角度に変化が生じる場合も含む。
【００２０】
この実施形態における刃１８について、説明する。
図８（ａ）にこの実施形態における刃１８の背面図を、同（ｂ）に同側面図を示す。
この実施形態における刃１８は、図８（ａ）に示したように長い矩形形状である。刃１８の長さは、本体ケース３の長手方向の長さよりも幾らか短い程度である。刃１８の下端のうち、切断を行えるようになっている部分（鋭利に構成されている部分）の全体が刃先１８Ｂである。刃先１８Ｂは通常、刃１８の一辺の長さ方向の全体にわたって存在する。
この実施形態における刃１８は、図８（ｂ）に示したように片刃になっている。刃１８の刃角θ１は、これには限られないが、この実施形態では、３０°±５°となっている。この範囲にするのが、対象物を切断するときにユーザに要求することになるアーム５を回転させるための力を小さくするに好適である。
刃１８は必ずしも片刃である必要はない。例えば、図８（ｃ）に示したような両刃にすることも可能である。この場合も刃角θ２は、３０°±５°とするのが好ましい。また、刃１８は、図８（ｄ）に示したような二段刃とすることも可能である。この場合、刃角は、θ３と、θ４の２つを観念することができる。この場合、３０°±５°とすべきは、θ３とθ４のうちのθ３である。
また、刃１８は、硬い方がその破損の可能性が低く、また対象物を切断する際の切断性能が上がる。これには限られないが、この実施形態の刃１８の素材として炭素工具鋼材かそれと同等以上の硬さのものを用いるのが好ましく、この実施形態ではそうしている。炭素工具鋼材としては、日本工業規格（ＪＩＳ規格）でいうＳＫ材を挙げることができる。より詳細に言えば、この実施形態における刃１８は、ＳＫ２でできている。
【符号の説明】
【００２１】
１００  断裁機
２  テーブル
３  本体ケース
４  刃体
１８  刃
２０  フレーム
７０  リンク機構
７１Ａ  第１リンク部材
７１Ｂ  第２リンク部材
７１Ｃ  第３リンク部材
７１Ｂ１  コロ
７１Ｃ１  コロ
７３  円筒部材
７４  ガイド部材
７４Ａ  案内孔
７６  引上げバネ
【図１】
2015202561.tif 000003
【図２】
2015202561.tif 000004
【図３】
2015202561.tif 000005
【図４】
2015202561.tif 000006
【図５】
2015202561.tif 000007
【図６】
2015202561.tif 000008
【図７】
2015202561.tif 000009
【図８】
2015202561.tif 000010